Podtech/llm-jp-corpus-v4-ja_patent huggingface dataset:
【手続補正書】
【提出日】平成28年8月24日(2016.8.24)
【手続補正１】
【補正対象書類名】明細書
【補正対象項目名】発明の名称
【補正方法】変更
【補正の内容】
【発明の名称】発光素子
【手続補正２】
【補正対象書類名】特許請求の範囲
【補正対象項目名】全文
【補正方法】変更
【補正の内容】
【特許請求の範囲】
【請求項１】
一対の電極間に有機化合物を含む層を有する発光素子において、
前記発光素子は青緑から青色の発光を呈し、
前記有機化合物を含む層はイリジウムを含み、
前記有機化合物を含む層を一次イオンとしてＢｉ３＋＋を用い、当該イオンの照射量１．０×１０１２ｉｏｎｓ／ｃｍ２以下の条件においてＴｏＦ−ＳＩＭＳ分析を行った際、少なくとも前記有機化合物を含む層の膜厚の一部においてｍ／ｚ＝４１付近及びｍ／ｚ＝５５付近にシグナルが表れる部分が存在する発光素子。
【請求項２】
請求項１において、
さらにｍ／ｚ＝２５０乃至５００の間に、ｍ／ｚ＝１２付近乃至１４付近の間隔で少なくとも１０以上のシグナルが表れている発光素子。
【請求項３】
一対の電極間に有機化合物を含む層を有する発光素子において、
前記発光素子は青緑から青色の発光を呈し、
前記有機化合物を含む層はイリジウムを含み、
前記有機化合物を含む層を一次イオンとしてＢｉ３＋＋を用い、当該イオンの照射量１．０×１０１２ｉｏｎｓ／ｃｍ２以下の条件においてＴｏＦ−ＳＩＭＳ分析を行った際、少なくとも前記有機化合物を含む層の膜厚の一部においてｍ／ｚ＝４１付近、ｍ／ｚ＝５５付近、ｍ／ｚ＝１０４付近及びｍ／ｚ＝２００付近にシグナルが表れる部分が存在する発光素子。
【請求項４】
一対の電極間に有機化合物を含む層を有する発光素子において、
前記発光素子は青色の発光を呈し、
前記有機化合物を含む層はイリジウムを含み、
前記有機化合物を含む層を一次イオンとしてＢｉ３＋＋を用い、当該イオンの照射量１．０×１０１２ｉｏｎｓ／ｃｍ２以下の条件においてＴｏＦ−ＳＩＭＳ分析を行った際、少なくとも前記有機化合物を含む層の膜厚の一部においてｍ／ｚ＝５８９付近にシグナルが表れる部分が存在する発光素子。
【請求項５】
一対の電極間に有機化合物を含む層を有する発光素子において、
前記発光素子は青色の発光を呈し、
前記有機化合物を含む層はイリジウムを含み、
前記有機化合物を含む層を一次イオンとしてＢｉ３＋＋を用い、当該イオンの照射量１．０×１０１２ｉｏｎｓ／ｃｍ２以下の条件においてＴｏＦ−ＳＩＭＳ分析を行った際、少なくとも前記有機化合物を含む層の膜厚の一部においてｍ／ｚ＝２００付近及びｍ／ｚ＝５８９付近にシグナルが表れる部分が存在する発光素子。
【請求項６】
請求項４または５において、
さらにｍ／ｚ＝４１付近、ｍ／ｚ＝５５付近及びｍ／ｚ＝１０４付近にシグナルが表れる発光素子。
【請求項７】
請求項３乃至６のいずれか一項において、
さらにｍ／ｚ＝２５０乃至３８０の間に、ｍ／ｚ＝１２付近乃至１４付近の間隔で、類似の形状のシグナルが少なくとも１０以上表れている発光素子。
【請求項８】
請求項１乃至７のいずれか一項において、
さらにｍ／ｚ＝３８８にシグナルが表れる発光素子。
【請求項９】
請求項１乃至８のいずれか一項において、
さらにｍ／ｚ＝７８７にシグナルが表れる発光素子。
【請求項１０】
請求項１乃至９のいずれか一項において、
前記ＴｏＦ−ＳＩＭＳ分析における前記イオンの照射量が８×１０１０ｉｏｎｓ／ｃｍ２以上１．０×１０１２ｉｏｎｓ／ｃｍ２以下である発光素子。
【請求項１１】
請求項１乃至１０のいずれか一項において、
前記発光がりん光である発光素子。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
光源から発せられた光を被検眼上で走査するための光スキャナと、光源から発せられた測定光と参照光との干渉信号を検出する検出器と、を有し、被検眼の断層像を得るための干渉光学系と、
を備える、眼科撮影装置であって、
被検眼上で設定された撮影位置に基づいて、前記干渉光学系を制御して複数の断層像を取得し、記憶手段に記憶させる画像取得手段と、
前記記憶手段に記憶された前記複数の断層像の複合処理によって複合画像を取得する画像複合手段と、
操作手段からの操作信号を受信するための受信手段と、
前記画像取得手段によって前記設定された撮影位置に基づく前記複数の断層像を取得させる撮影動作を開始し、前記撮影動作中に該受信手段によって第１操作信号を受信した場合に、該第１操作信号が受信されるまでの間に前記記憶手段に記憶された複数の断層像から複合画像を取得する制御手段と、
前記受信手段によって、第２操作信号を受信した場合に、前記画像取得手段による次の撮影動作に移行させる移行手段と、
を備えることを特徴とする眼科撮影装置。
【請求項２】
請求項１の眼科撮影装置において、
前記制御手段は、前記画像取得手段による前記設定された撮影位置に基づく前記複数の断層像の取得させる撮影動作を開始し、前記撮影動作中に該受信手段によって第１操作信号を受信した場合に、該画像取得手段によって前記記憶手段へ断層像を記憶させる制御を一時的に停止させ、該第１操作信号が受信されるまでの間に該記憶手段に記憶された複数の断層像から複合画像を取得し、取得された複合画像を出力することを特徴とする眼科撮影装置。
【請求項３】
請求項１又は２の眼科撮影装置において、
前記画像取得手段は、被検眼上で設定された異なる複数の撮影位置にて、前記光スキャナを制御して、測定光を走査し、各撮影位置にて複数の断層像を取得し、前記記憶手段に記憶させ、
前記制御手段は、前記画像取得手段によって前記設定された複数の撮影位置において、それぞれ前記複数の断層像を取得させる撮影動作を開始し、前記撮影動作中に該受信手段によって前記第１操作信号を受信した場合に、該第１操作信号が受信された際に撮影中の第１撮影位置において、該第１操作信号が受信されるまでの間に前記記憶手段に記憶された該第１撮影位置の複数の断層像から複合画像を取得することを特徴とする眼科撮影装置。
【請求項４】
光源から発せられた光を被検眼上で走査するための光スキャナと、光源から発せられた測定光と参照光との干渉信号を検出する検出器と、を有し、被検眼の断層像を得るための干渉光学系を備える、眼科撮影装置の動作を制御する制御装置において実行される眼科撮影プログラムであって、
前記制御装置のプロセッサによって実行されることで、
被検眼上で設定された撮影位置に基づいて、前記干渉光学系を制御して複数の断層像を取得する画像取得ステップと、
前記画像取得ステップの撮影動作を開始し、前記撮影動作中に、操作手段からの操作信号を受信するための受信手段によって、第１操作信号を受信した場合に、該第１操作信号が受信されるまでの間に記憶手段に記憶された複数の断層像から複合画像を取得する制御ステップと、
前記受信手段によって、第２操作信号を受信した場合に、前記画像取得ステップによる次の撮影動作に移行させる移行ステップと、
を前記制御装置に実行させることを特徴とする眼科撮影プログラム。
【手続補正２】
【補正対象書類名】明細書
【補正対象項目名】０００８
【補正方法】変更
【補正の内容】
【０００８】
上記課題を解決するために、本発明は以下のような構成を備えることを特徴とする。
（１）  本発明の第１態様に係る眼科撮影装置は、光源から発せられた光を被検眼上で走査するための光スキャナと、光源から発せられた測定光と参照光との干渉信号を検出する検出器と、を有し、被検眼の断層像を得るための干渉光学系と、を備える、眼科撮影装置であって、被検眼上で設定された撮影位置に基づいて、前記干渉光学系を制御して複数の断層像を取得し、記憶手段に記憶させる画像取得手段と、前記記憶手段に記憶された前記複数の断層像の複合処理によって複合画像を取得する画像複合手段と、操作手段からの操作信号を受信するための受信手段と、前記画像取得手段によって前記設定された撮影位置に基づく前記複数の断層像を取得させる撮影動作を開始し、前記撮影動作中に該受信手段によって第１操作信号を受信した場合に、該第１操作信号が受信されるまでの間に前記記憶手段に記憶された複数の断層像から複合画像を取得する制御手段と、前記受信手段によって、第２操作信号を受信した場合に、前記画像取得手段による次の撮影動作に移行させる移行手段と、を備えることを特徴とする。
（２）  本発明の第２態様に係る眼科撮影プログラムは、光源から発せられた光を被検眼上で走査するための光スキャナと、光源から発せられた測定光と参照光との干渉信号を検出する検出器と、を有し、被検眼の断層像を得るための干渉光学系を備える、眼科撮影装置の動作を制御する制御装置において実行される眼科撮影プログラムであって、前記制御装置のプロセッサによって実行されることで、被検眼上で設定された撮影位置に基づいて、前記干渉光学系を制御して複数の断層像を取得する画像取得ステップと、前記画像取得ステップの撮影動作を開始し、前記撮影動作中に、操作手段からの操作信号を受信するための受信手段によって、第１操作信号を受信した場合に、該第１操作信号が受信されるまでの間に記憶手段に記憶された複数の断層像から複合画像を取得する制御ステップと、前記受信手段によって、第２操作信号を受信した場合に、前記画像取得ステップによる次の撮影動作に移行させる移行ステップと、を前記制御装置に実行させることを特徴とする。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
光源から発せられた測定光を、被検眼上で横断方向に走査するための走査手段を有し、被検眼の断層画像を生成するためのＯＣＴ光学系と、
被検眼の正面画像を生成するための観察光学系と、
前記正面画像を表示手段に表示させる第１表示制御手段と、
検者からの指示の入力を受け付ける指示受付手段と、
前記指示受付手段によって受け付けられた指示に応じて、前記走査手段による走査位置を設定するための走査パターンを、前記正面画像上の任意の位置に表示する第２表示制御手段と、
前記走査手段の駆動を制御し、前記正面画像上の前記走査パターンに対応する走査位置に、前記測定光を走査させる走査制御手段と、
前記正面画像上における前記走査パターンの位置に応じて、前記走査パターンを変形するパターン変形手段と、を備え、
変形された走査パターンにて前記断層画像を取得することが可能な眼科撮影装置。
【請求項２】
前記走査パターンは、複数の走査ラインから形成される走査パターンであって
前記パターン変形手段は、各走査ラインの交点が、前記正面画像の周辺部に配置されるように前記走査パターンを変形する請求項１の眼科撮影装置。
【請求項３】
パターン変形手段は、前記走査パターンを変形するか否かを判定するための基準領域を設定し、前記基準領域に対する前記走査パターンの位置関係に基づいて前記走査パターンを変形する請求項１〜２のいずれかの眼科撮影装置。
【請求項４】
前記変形された走査パターンに対応する走査位置を不揮発メモリに記憶する制御手段を備え、
前記走査制御手段は、前記不揮発メモリに記憶された前記走査位置にて前記測定光を走査させる請求項１〜３のいずれかの眼科撮影装置。
【請求項５】
光源から発せられた測定光を、被検物上で横断方向に走査するための走査手段を有し、被検眼の断層画像を生成するためのＯＣＴ光学系と、
被検眼の正面画像を生成するための観察光学系と、
を備え、前記断層画像を取得する眼科撮影装置の動作を制御するための撮影制御プログラムであって、
前記眼科撮影装置を制御する制御装置のプロセッサによって実行されることで、
前記正面画像を表示手段に表示させる第１表示制御ステップと、
検者からの指示の入力を受け付ける指示受付ステップと、
前記指示受付ステップによって受け付けられた指示に応じて、前記走査手段による走査位置を設定するための走査パターンを、前記正面画像上の任意の位置に表示する第２表示制御ステップと、
前記走査手段の駆動を制御し、前記正面画像上の前記走査パターンに対応する走査位置に、前記測定光を走査させる走査制御ステップと、
前記正面画像上における前記走査パターンの位置に応じて、前記走査パターンを変形するパターン変形ステップと、
変形された走査パターンにて前記断層画像を取得する取得ステップと、
を前記眼科撮影装置に実行させるための撮影制御プログラム。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
光源から発せられた光を被検眼上で走査するための光スキャナと、前記光源から発せられた測定光と参照光との干渉信号を検出する検出器と、を有し、前記被検眼の断層画像を得るための干渉光学系と、
被検眼を照明する照明光学系と、被検眼からの反射光を受光する受光光学系と、を有し、前記受光光学系からの受光信号に基づいて被検眼の正面画像を取得する観察光学系と、
前記観察光学系によって取得された前記正面画像上において設定された取得位置での前記断層画像が取得されるように、前記正面画像に基づいて、前記光スキャナを制御して、前記測定光の走査位置を補正する駆動制御手段と、
を備える眼科撮影装置であって、
前記駆動制御手段による制御の実行の可否を判定するための評価情報を前記正面画像に基づいて算出する評価情報算出手段と、
前記評価情報算出手段によって算出された算出結果を出力する出力手段と、
を備えることを特徴とする眼科撮影装置。
【請求項２】
請求項１の眼科撮影装置において、
さらに、前記評価情報算出手段によって算出された前記評価情報に基づいて前記駆動制御手段による制御の実行の可否を判定する判定手段を備え、
前記出力手段は、前記算出結果として、前記評価情報算出手段によって算出された前記評価情報と，前記判定手段による判定結果に関する情報と，の少なくとも一方の情報を出力することを特徴とする眼科撮影装置。
【請求項３】
光源から発せられた光を被検眼上で走査するための光スキャナと、光源から発せられた測定光と参照光との干渉信号を検出する検出器と、を有し、被検眼の断層画像を得るための干渉光学系と、
被検眼を照明する照明光学系と、被検眼からの反射光を受光する受光光学系と、を有し、前記受光光学系からの受光信号に基づいて被検眼の正面画像を取得する観察光学系と、
前記観察光学系によって取得された前記正面画像上において設定された取得位置での前記断層画像が取得されるように、前記光スキャナを制御し、走査位置を補正する駆動制御手段と、
を備える眼科撮影装置の動作を制御する制御装置において実行される眼科撮影プログラムであって、
前記制御装置のプロセッサによって実行されることで、
前記駆動制御手段による制御の実行の可否を判定するための評価情報を前記正面画像に基づいて算出する評価情報算出ステップと、
前記評価情報算出ステップによって算出された算出結果を出力する出力ステップと、
を前記制御装置に実行させることを特徴とする眼科撮影プログラム。
【手続補正２】
【補正対象書類名】明細書
【補正対象項目名】０００９
【補正方法】変更
【補正の内容】
【０００９】
上記課題を解決するために、本発明は以下のような構成を備えることを特徴とする。
（１）  本発明の第１態様に係る眼科撮影装置は、光源から発せられた光を被検眼上で走査するための光スキャナと、前記光源から発せられた測定光と参照光との干渉信号を検出する検出器と、を有し、前記被検眼の断層画像を得るための干渉光学系と、被検眼を照明する照明光学系と、被検眼からの反射光を受光する受光光学系と、を有し、前記受光光学系からの受光信号に基づいて被検眼の正面画像を取得する観察光学系と、前記観察光学系によって取得された前記正面画像上において設定された取得位置での前記断層画像が取得されるように、前記正面画像に基づいて、前記光スキャナを制御して、前記測定光の走査位置を補正する駆動制御手段と、を備える眼科撮影装置であって、前記駆動制御手段による制御の実行の可否を判定するための評価情報を前記正面画像に基づいて算出する評価情報算出手段と、前記評価情報算出手段によって算出された算出結果を出力する出力手段と、を備えることを特徴とする。
（２）  本発明の第２態様に係る眼科撮影プログラムは、光源から発せられた光を被検眼上で走査するための光スキャナと、光源から発せられた測定光と参照光との干渉信号を検出する検出器と、を有し、被検眼の断層画像を得るための干渉光学系と、被検眼を照明する照明光学系と、被検眼からの反射光を受光する受光光学系と、を有し、前記受光光学系からの受光信号に基づいて被検眼の正面画像を取得する観察光学系と、前記観察光学系によって取得された前記正面画像上において設定された取得位置での前記断層画像が取得されるように、前記光スキャナを制御し、走査位置を補正する駆動制御手段と、を備える眼科撮影装置の動作を制御する制御装置において実行される眼科撮影プログラムであって、前記制御装置のプロセッサによって実行されることで、前記駆動制御手段による制御の実行の可否を判定するための評価情報を前記正面画像に基づいて算出する評価情報算出ステップと、前記評価情報算出ステップによって算出された算出結果を出力する出力ステップと、を前記制御装置に実行させることを特徴とする。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
眼科用光干渉断層計によって取得された被検眼の断層画像の解析結果を得て、前記解析結果を出力するための眼科解析装置であって、
ＯＣＴ断層画像、各ラインでのＯＣＴ断層画像から形成される３次元ＯＣＴデータと予め位置が対応付けされた二次元正面画像、各ラインでのＯＣＴ断層画像から形成される３次元ＯＣＴデータに基づいて算出される二次元解析マップ又は二次元解析チャート、のいずれかである二次元画像を表示手段に表示させる表示制御手段と、
前記二次元画像に対して解析領域を複数設定する解析領域設定手段と、
前記解析領域設定手段によって複数設定された前記解析領域における解析結果を取得し、取得された前記解析結果を出力する制御手段と、
を備えることを特徴とする眼科解析装置。
【請求項２】
前記解析領域を複数選択するための検者から選択指示を受け付ける指示受付手段を有し、前記解析領域設定手段は、前記指示受付手段によって受け付けられた選択指示に応じて、前記断層画像に対して前記解析領域を複数設定することを特徴とする請求項１の眼科解析装置。
【請求項３】
前記表示制御手段によって前記表示手段に表示される前記二次元画像における特徴部位の位置を検出する特徴部位検出手段を有し、
前記解析領域選択手段は、前記特徴部位検出手段によって検出された前記特徴部位の位置に基づいて、前記二次元画像上における前記解析領域の位置を設定することを特徴とする請求項１〜２のいずれかの眼科解析装置。
【請求項４】
前記制御手段は、前記解析領域設定手段によって複数設定された前記解析領域における層厚データの基本統計値を算出し、各解析領域における基本統計値の比、又は差分を解析結果として出力することを特徴とする請求項１〜３のいずれかの眼科解析装置。
【請求項５】
眼科用光干渉断層計によって取得された被検眼の断層画像の解析結果を得て、前記解析結果を出力するための眼科解析装置において実行される眼科解析プログラムであって、
前記眼科解析装置のプロセッサによって実行されることで、
ＯＣＴ断層画像、各ラインでのＯＣＴ断層画像から形成される３次元ＯＣＴデータと予め位置が対応付けされた二次元正面画像、各ラインでのＯＣＴ断層画像から形成される３次元ＯＣＴデータに基づいて算出される二次元解析マップ又は二次元解析チャート、のいずれかである二次元画像を表示手段に表示させる表示制御ステップと、
前記二次元画像に対して解析領域を複数設定する解析領域設定ステップと、
前記解析領域設定手段によって複数設定された前記解析領域における解析結果を取得し、取得された前記解析結果を出力する制御ステップと、
を前記眼科解析装置に実行させることを特徴とする眼科解析プログラム。
【手続補正２】
【補正対象書類名】明細書
【補正対象項目名】０００８
【補正方法】変更
【補正の内容】
【０００８】
（１）  
眼科用光干渉断層計によって取得された被検眼の断層画像の解析結果を得て、前記解析結果を出力するための眼科解析装置であって、
ＯＣＴ断層画像、各ラインでのＯＣＴ断層画像から形成される３次元ＯＣＴデータと予め位置が対応付けされた二次元正面画像、各ラインでのＯＣＴ断層画像から形成される３次元ＯＣＴデータに基づいて算出される二次元解析マップ又は二次元解析チャート、のいずれかである二次元画像を表示手段に表示させる表示制御手段と、
前記二次元画像に対して解析領域を複数設定する解析領域設定手段と、
前記解析領域設定手段によって複数設定された前記解析領域における解析結果を取得し、取得された前記解析結果を出力する制御手段と、
を備えることを特徴とする。
【手続補正３】
【補正対象書類名】明細書
【補正対象項目名】０００９
【補正方法】変更
【補正の内容】
【０００９】
（２）
眼科用光干渉断層計によって取得された被検眼の断層画像の解析結果を得て、前記解析結果を出力するための眼科解析装置において実行される眼科解析プログラムであって、
前記眼科解析装置のプロセッサによって実行されることで、
ＯＣＴ断層画像、各ラインでのＯＣＴ断層画像から形成される３次元ＯＣＴデータと予め位置が対応付けされた二次元正面画像、各ラインでのＯＣＴ断層画像から形成される３次元ＯＣＴデータに基づいて算出される二次元解析マップ又は二次元解析チャート、のいずれかである二次元画像を表示手段に表示させる表示制御ステップと、
前記二次元画像に対して解析領域を複数設定する解析領域設定ステップと、
前記解析領域設定手段によって複数設定された前記解析領域における解析結果を取得し、取得された前記解析結果を出力する制御ステップと、
を前記眼科解析装置に実行させることを特徴とする。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
被検物の断層画像を処理する画像処理装置であって、
前記被検物の三次元データから二次元の断層画像を取得する位置、または、断層画像を生成するための測定光を走査させる位置である横断位置を設定する基準となる基準ラインを、前記被検物の正面画像上に設定する基準ライン設定手段と、
前記基準ライン設定手段によって設定された前記基準ラインに対する角度が所定角度である前記横断位置を設定する横断位置設定手段と、
を備えたことを特徴とする画像処理装置。
【請求項２】
前記横断位置設定手段は、前記基準ラインに所定角度で交差する前記横断位置を設定することを特徴とする請求項１に記載の画像処理装置。
【請求項３】
前記横断位置設定手段は、前記基準ラインに平行な前記横断位置を設定することを特徴とする請求項１に記載の画像処理装置。
【請求項４】
前記基準ラインの位置を決定するための線状の基準指標を、前記表示手段に表示される前記正面画像上に重畳表示させる第二表示制御手段をさらに備え、
前記基準ライン設定手段は、前記第二表示制御手段によって前記正面画像上に表示される前記基準指標を、前記指示受付手段によって受け付けられた指示に従って移動させると共に、移動させた前記基準指標上に前記基準ラインを設定することを特徴とする請求項１から３のいずれかに記載の画像処理装置。
【請求項５】
被検物の断層画像を処理する画像処理装置の動作を制御するための画像処理プログラムであって、
前記画像処理装置のプロセッサによって実行されることで、
前記被検物の三次元データから二次元の断層画像を取得する位置、または、断層画像を生成するための測定光を走査させる位置である横断位置を設定する基準となる基準ラインを、前記被検物の正面画像上に設定する基準ライン設定ステップと、
前記基準ライン設定手段によって設定された前記基準ラインに対する角度が所定角度である前記横断位置を設定する横断位置設定ステップと、
を画像処理装置に実行させることを特徴とする画像処理プログラム。
【手続補正２】
【補正対象書類名】明細書
【補正対象項目名】発明の名称
【補正方法】変更
【補正の内容】
【発明の名称】画像処理装置および画像処理プログラム
【手続補正３】
【補正対象書類名】明細書
【補正対象項目名】０００１
【補正方法】変更
【補正の内容】
【０００１】
本発明は、被検物の断層画像を処理するための画像処理装置および画像処理プログラムに関する。
【手続補正４】
【補正対象書類名】明細書
【補正対象項目名】０００５
【補正方法】変更
【補正の内容】
【０００５】
本発明は、被検物の断層画像を取得するための測定光の横断位置を、被検物における特定の方向に対して所定の角度に適切に設定することができる画像処理装置および画像処理プログラムを提供することを目的とする。
【手続補正５】
【補正対象書類名】明細書
【補正対象項目名】０００６
【補正方法】変更
【補正の内容】
【０００６】
本発明の第一態様に係る画像処理装置は、被検物の断層画像を処理する画像処理装置であって、
前記被検物の三次元データから二次元の断層画像を取得する位置、または、断層画像を生成するための測定光を走査させる位置である横断位置を設定する基準となる基準ラインを、前記被検物の正面画像上に設定する基準ライン設定手段と、
前記基準ライン設定手段によって設定された前記基準ラインに対する角度が所定角度である前記横断位置を設定する横断位置設定手段と、を備えている。
【手続補正６】
【補正対象書類名】明細書
【補正対象項目名】０００７
【補正方法】変更
【補正の内容】
【０００７】
本発明の第二態様に係る画像処理プログラムは、被検物の断層画像を処理する画像処理装置の動作を制御するための画像処理プログラムであって、
前記画像処理装置のプロセッサによって実行されることで、
前記被検物の三次元データから二次元の断層画像を取得する位置、または、断層画像を生成するための測定光を走査させる位置である横断位置を設定する基準となる基準ラインを、前記被検物の正面画像上に設定する基準ライン設定ステップと、
前記基準ライン設定手段によって設定された前記基準ラインに対する角度が所定角度である前記横断位置を設定する横断位置設定ステップと、を画像処理装置に実行させることを特徴とする。
【手続補正７】
【補正対象書類名】明細書
【補正対象項目名】０００８
【補正方法】変更
【補正の内容】
【０００８】
本発明によると、画像処理装置は、被検物の断層画像を取得する位置を、被検物における特定の方向に対して所定の角度に適切に設定することができる。
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
被検眼に照射された測定光と参照光との干渉を用いて前記被検眼の断層画像を取得するためのＯＣＴ光学系と、
前記被検眼の正面画像を得るための観察光学系と、
前記ＯＣＴ光学系からの出力信号に基づいて前記断層画像を繰り返し生成すると共に、前記観察光学系からの出力信号に基づいて前記正面画像を繰り返し生成する画像生成手段と、
基準正面画像として設定された前記正面画像と、各前記正面画像との位置ずれを画像処理により検出し、前記位置ずれが許容範囲を満たす前記正面画像の連続性を判定する連続性判定手段と、
前記連続性判定手段による判定結果に基づいて前記断層画像を選択処理する選択処理手段と、
を備えることを特徴とする眼科撮影装置。
【請求項２】
複数取得された前記断層画像を合成する画像合成手段を有し、
前記選択処理手段は、前記画像合成手段により合成する際の基準断層画像を、前記判定結果に基づいて前記断層画像から選択し、
前記画像合成手段は、前記選択処理手段により選択された前記基準断層画像と、前記断層画像とは異なるタイミングで取得された断層画像と、を合成する請求項１の眼科撮影装置。
【請求項３】
前記被検眼に照射される前記測定光を被検眼上で走査させる走査手段と、
前記走査手段の駆動を制御し、予め設定された同一の走査位置に、前記測定光を複数回走査させる走査制御手段と、を有し、
前記選択処理手段は、前記判定結果に基づいて、前記走査位置に対応する断層画像を選択する請求項１〜２のいずれかの眼科撮影装置。
【請求項４】
前記被検眼に照射される前記測定光を被検眼上で走査させる走査手段と、
前記走査手段の駆動を制御し、複数の走査ラインから形成される走査パターンによって設定された複数の走査位置に、前記測定光を順次走査させる走査制御手段と、を有し、
前記選択処理手段は、前記判定結果に基づいて、前記走査位置に対応する断層画像を選択する請求項１〜３のいずれかの眼科撮影装置。
【請求項５】
前記画像生成手段による前記正面画像の生成タイミングを用いて、前記一連の前記正面画像の取得中に得られた前記断層画像を特定する特定処理手段を備える請求項４の眼科撮影装置
【誤訳訂正書】
【提出日】平成28年6月6日(2016.6.6)
【誤訳訂正１】
【訂正対象書類名】特許請求の範囲
【訂正対象項目名】全文
【訂正方法】変更
【訂正の内容】
【特許請求の範囲】
【請求項１】
燃焼器ドームアセンブリであって、
上流側の面と該上流側の面と反対側にある下流側の面を有し、内部に開口が形成されている、環状ドームプレートと、
ボデーと、該ボデーから軸方向に延びる管部分とを有するデフレクタであって、前記下流側の面の近傍に配置され、前記ドームプレートに固定的に取り付けられ、前記管部分が開口内に受けられるデフレクタと、
中心口を有する環状ボデーと、中央口の周囲から軸方向に延びる環状フランジと、該環状ボデーから延びてスロットを画定する少なくとも１つのフックとを有する保持器であって、前記ドームプレートの前記上流側の面の近傍に配置され、前記ドームプレートに固定的に取り付けられ、前記環状フランジが開口内に受けられる保持器と、
環状ミキサであって、旋回ベーンの径方向配列と環状の取り付けフランジとを含み、保持タブが前記取り付けフランジから径方向外側に延び、前記ミキサは上流側の面の近傍に配置され、前記取り付けフランジが前記保持器に当接し、その一部は開口内に受けられ、前記保持タブが前記スロット内に嵌合してミキサが保持器から軸方向に引っ込むことを防止する構成の環状ミキサと、
を含むドームアセンブリ。
【請求項２】
前記フックの断面が概ねＵ形であり、前記環状ボデーの外側周辺縁部から延びる第１の径方向脚部と、前記第１の径方向縁部の遠端部から軸方向外側に延びる軸方向脚部と、前記軸方向脚部から径方向内側に延びる第２の径方向脚部とを有し、前記脚部が共同で前記スロットを画定する請求項１に記載のドームアセンブリ。
【請求項３】
環状ノッチが、前記開口を囲む前記ドームプレートの下流面内に形成される請求項１に記載のドームアセンブリ。
【請求項４】
前記デフレクタの前記管部分内表面が、前記保持器の前記環状フランジを受けるように構成されたさねはぎを画定する請求項１に記載のドームアセンブリ。
【請求項５】
前記保持器の環状フランジの遠端部が前記さねはぎ内に受けられる請求項４に記載のドームアセンブリ。
【請求項６】
凹面の環状溝が前記保持器の前記環状ボデーと前記環状フランジとの間に画定された内部コーナーに形成される請求項１に記載のドームアセンブリ。
【請求項７】
前記ミキサが、前記取り付けフランジから径方向外側に延びる少なくとも１つの回転防止タブを含む請求項１に記載のドームアセンブリ。
【請求項８】
前記ミキサが前記保持器に対して前記フックが離脱するのに十分な程度に回転することを防止する手段を更に含む請求項１に記載のドームアセンブリ。
【請求項９】
前記ミキサの前記取り付けフランジが内部に形成されたノッチを含む請求項１に記載のドームアセンブリ。
【請求項１０】
前記保持器の前記環状ボデー上の前記ノッチ内に溶接突起部が形成される請求項９に記載のドームアセンブリ。
【請求項１１】
前記デフレクタの前記ボデーの径方向内側と外側の部分が軸方向後方、及び径方向外側に延びて延長パネルを画定する請求項１に記載のドームアセンブリ。
【請求項１２】
複数のデフレクタ、保持器、及びミキサを含む請求項１に記載のドームアセンブリ。
【請求項１３】
燃焼器ドームの組み立て方法であって、
上流側の面と該上流側の面と反対側にある下流側の面を有し、内部に開口が形成されている環状ドームプレートを備えるステップと、
ボデーと、ボデーから軸方向に延びる管部分とを有するデフレクタを備えるステップと、
前記下流側の面の近傍で前記デフレクタを前記ドームプレートに固定的に取り付け、前記管部分が前記開口内に受けられるステップと、
中心口を有する環状ボデーと、中心口の周囲から軸方向に延びる環状フランジと、該環状ボデーから延びてスロットを画成する少なくとも１つのフックと、を有する保持器を備えるステップと、
前記上流側の面の近傍で前記保持器を前記ドームプレートに固定的に取り付け、前記環状フランジが前記開口内に受けられるステップと、
旋回ベーンの径方向配列と環状の取り付けフランジとを含む環状ミキサを備えるステップであって、保持タブが前記取り付けフランジから径方向外側に延びるステップと、
前記取り付けフランジが保持器に当接し、前記保持タブが前記フックから離間するように前記ミキサを前記ドームプレートの前記上流側の面の近傍に取り付けるステップと、
前記ミキサを回転させ、前記保持タブがフックのスロットに係合して、前記ミキサが前記保持器から軸方向に引っ込むことを防止するステップと、
を含む方法。
【請求項１４】
前記ミキサと前記保持器との間に回転防止機構を取り付けるステップをさらに備え、これが前記ミキサのある程度の回転を意図的に許容するが、前記ミキサが前記フックから離脱するまで十分に回転することを防止する請求項１３に記載の方法。
【請求項１５】
前記回転防止機構が、前記ミキサの前記取り付けフランジ内のノッチに配置された前記保持器の前記環状ボデーに施される仮付け溶接である請求項１４に記載の方法。
【請求項１６】
前記デフレクタがろう付けによって前記ドームプレートに固定的に取り付けられる請求項１３に記載の方法。
【請求項１７】
前記ミキサがろう付けによって前記ドームプレートに固定的に取り付けられる請求項１３に記載の方法。
【請求項１８】
前記デフレクタの前記管部分の内表面がさねはぎを画成し、前記保持器の前記環状フランジがその内部に挿入される請求項１３に記載の方法。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
第１の高分子凝集剤の溶液を、被処理物としての汚泥に加え、少なくとも１つの撹拌機により、前記汚泥と前記第１の高分子凝集剤の溶液とを混合して混合汚泥を調製する混合汚泥調製工程と、
前記第１の高分子凝集剤と同一若しくは異なる第２の高分子凝集剤の溶液を前記混合汚泥に加え、前記混合汚泥と前記第２の高分子凝集剤の溶液とを混合して凝集フロックを形成する凝集フロック形成工程とを有し、
該混合汚泥調製工程において、回転速度を１０００ｒｐｍ以上に設定し、撹拌部の容積（Ｌ）当たりの消費電力（ｋＷ）が１．０（ｋＷ／Ｌ）以上となるように調整した撹拌機の消費電力（ｋＷ）Ａと、汚泥の汚泥処理量（ｋｇ／ｈ）Ｂと、該汚泥濃度（ｇ／Ｌ）Ｃとの関係が、次の式（１）：
式（１）・・（消費電力Ａ×汚泥濃度Ｃ）／汚泥処理量Ｂ＝０．１５〜１．１０
が成り立つように調整して混合を行う、汚泥の処理方法において使用する第１の高分子凝集剤であって、
水に２ｇ／Ｌで溶解し、Ｂ型粘度計を使用して２５℃、６０ｒｐｍの回転数で測定した粘度が１４７ｍＰａ・ｓ以上である高分子凝集剤。
【請求項２】
前記粘度が２２５ｍＰａ・ｓ以上である請求項１に記載の高分子凝集剤。
【請求項３】
前記粘度が２８０ｍＰａ・ｓ以上である請求項１に記載の高分子凝集剤。
【請求項４】
アクリレート系高分子凝集剤である、請求項１〜３のいずれか１に記載の高分子凝集剤。
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
モータ構成部品を有底円筒状のヨーク部および該ヨーク部を塞ぐエンドカバーに収容すると共に、前記モータ構成部品を構成する出力軸を前記ヨーク部および前記エンドカバーに設けた軸穴部に軸支させたモータ本体と、
該モータ本体を収容するモータ収容部と、を備えたモータ支持構造において、
前記モータ収容部が、
前記ヨーク部との間に間隙部を有して前記ヨーク部を収容する有底円筒状のヨーク部収容部と、
前記エンドカバーとの間に間隙部を有して前記エンドカバーを収容する有底円筒状のエンドカバー部収容部と、に分けられると共に、
前記ヨーク部収容部と前記エンドカバー部収容部とで、前記モータ本体を前記出力軸と平行な方向に挟着し、
前記ヨーク部収容部の底側に設けたモータ保持部で、前記モータ本体を周方向に保持すると共に、
前記エンドカバー部収容部の底側に設けた別のモータ保持部で、前記モータ本体を周方向に保持したことを特徴とするモータ支持構造。
【請求項２】
請求項１に記載のモータ支持構造であって、
前記ヨーク部収容部の底側に設けられた前記モータ保持部は、前記ヨーク部における前記軸穴部の周辺に設けられた軸受設置用小径部に嵌合する小径部保持部であることを特徴とするモータ支持構造。
【請求項３】
請求項１または請求項２に記載のモータ支持構造であって、
前記ヨーク部収容部の底側に設けられた前記モータ保持部は、前記ヨーク部の底側の外周部周辺に設けられたマグネット位置規定用段差部に嵌合する段差部保持部であることを特徴とするモータ支持構造。
【請求項４】
請求項１ないし請求項３のいずれか１項に記載のモータ支持構造であって、
前記エンドカバー部収容部の底側に設けられた前記別のモータ保持部は、前記エンドカバーにおける前記軸穴部から外方へ向けて突出形成された軸出し用の短筒状突起部に嵌合する突起部保持部であることを特徴とするモータ支持構造。
【請求項５】
請求項１ないし請求項４のいずれか１項に記載のモータ支持構造であって、
前記ヨーク部収容部と前記エンドカバー部収容部とは、前記モータ本体の全周に亘る重複部分を有することを特徴とするモータ支持構造。
【請求項６】
請求項５に記載のモータ支持構造であって、
前記ヨーク部収容部と前記エンドカバー部収容部とは、互いに摺接嵌合可能な嵌合部によって、前記モータ本体の全周に亘って結合されていることを特徴とするモータ支持構造。
【請求項７】
請求項１ないし請求項６のいずれか１項に記載のモータ支持構造であって、
前記モータ収容部に、外部の部材に取付可能な外部取付部が設けられ、
該外部の部材は、空調装置の送風ケース部であり、
前記出力軸にはファンが取付けられ、
前記外部取付部は、前記モータ本体の周方向に延びる平坦な面を有する取付フランジとされたことを特徴とするモータ支持構造。
【請求項８】
請求項１ないし請求項７のいずれか１項に記載のモータ支持構造であって、
前記ヨーク部の一端側周辺と底側とに、ヨーク部の内部へ冷却風を通すための冷却風取入部および冷却風取出部がそれぞれ設けられ、
前記エンドカバー部収容部の前記冷却風取入部の近傍に冷却風取込口を設けると共に、前記ヨーク部収容部の前記冷却風取出部の近傍に冷却風排出口を設け、
更に、前記エンドカバー部収容部の前記冷却風取込口よりも前記軸穴部側の部分、および、前記ヨーク部収容部の前記冷却風排出口よりも前記エンドカバー部収容部側の部分に、それぞれシール部を設けたことを特徴とするモータ支持構造。
【請求項９】
請求項１ないし請求項８のいずれか１項に記載のモータ支持構造であって、
前記モータ保持部の少なくとも１つとモータ本体との間に弾性部材が介在されたことを特徴とするモータ支持構造。
【手続補正２】
【補正対象書類名】明細書
【補正対象項目名】００１６
【補正方法】変更
【補正の内容】
【００１６】
上記課題を解決するために、本発明は、
モータ構成部品を有底円筒状のヨーク部および該ヨーク部を塞ぐエンドカバーに収容すると共に、前記モータ構成部品を構成する出力軸を前記ヨーク部および前記エンドカバーに設けた軸穴部に軸支させたモータ本体と、
該モータ本体を収容するモータ収容部と、を備えたモータ支持構造において、
前記モータ収容部が、
前記ヨーク部との間に間隙部を有して前記ヨーク部を収容する有底円筒状のヨーク部収容部と、
前記エンドカバーとの間に間隙部を有して前記エンドカバーを収容する有底円筒状のエンドカバー部収容部と、に分けられると共に、
前記ヨーク部収容部と前記エンドカバー部収容部とで、前記モータ本体を前記出力軸と平行な方向に挟着し、
前記ヨーク部収容部の底側に設けたモータ保持部で、前記モータ本体を周方向に保持すると共に、
前記エンドカバー部収容部の底側に設けた別のモータ保持部で、前記モータ本体を周方向に保持したことを特徴としている。
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
３レベル三相インバータの出力周波数に応じた変調波信号の一周期を１２×ｎ個（ｎは自然数）の区間に等分割し、
前記等分割した各区間内では、三相のうち一相のみがスイッチングを行い他の二相はスイッチングを行わずに出力電位をゼロ、正で一定または負で一定のいずれかに保持し、
前記等分割した各区間の境界でのみ、三相の各相は前記等分割した各区間の出力電位をゼロ、正で一定または負で一定のいずれかの状態に変化させ保持するために必要なスイッチングを行う
ことを特徴とする３レベル三相インバータの駆動制御装置。
【請求項２】
３レベル三相インバータの出力周波数に応じた変調波信号の１／４周期（０〜９０°）を３×ｎ個（ｎは自然数）の区間に等分割し、
位相０〜９０°までを順に番号付けした前記区間１〜３×ｎに対して、自然数ｉ（１≦ｉ≦ｎ）につき区間ｉ、区間２×ｎ＋１−ｉおよび区間２×ｎ＋ｉを同一グループとしてｎ個のグループを構成し、
三相のうちの一相は、前記ｎ個のグループそれぞれが、当該グループに属する前記３つの区間のうち１つの区間内のみのスイッチングを行い他の２つの区間内ではスイッチングを行わずに出力電位をゼロ、正で一定または負で一定のいずれかに保持し、前記区間の境界でのみ、各区間の出力電位をゼロ、正で一定または負で一定のいずれかの状態に変化させ保持するために必要なスイッチングを行い、
前記変調波信号の残りの３／４周期（９０〜３６０°）は、各１／４周期毎に前記位相０〜９０°の出力波形と上下対称および前後対称の少なくともいずれかの波形となるようにスイッチングを行い、
三相の他の二相は、前記一相とはそれぞれ１２０°および２４０°位相のずれた対称波形となるようにスイッチングを行う
ことを特徴とする３レベル三相インバータの駆動制御装置。
【請求項３】
請求項２に記載の３レベル三相インバータの駆動制御装置であって、
ｎ＝２の時、三相のうち一相は、前記変調波信号の１／４周期（０〜９０°）の内、位相０〜１５°までは出力電位ゼロとし、少なくとも位相１５〜６０°までは正で一定の出力電位とし、位相６０〜９０°の区間内ではスイッチングを行う
ことを特徴とする３レベル三相インバータの駆動制御装置。
【請求項４】
請求項２に記載の３レベル三相インバータの駆動制御装置であって、
ｎ＝２の時、三相のうち一相は、前記変調波信号の１／４周期（０〜９０°）の内、位相０〜１５°までは出力電位ゼロとし、少なくとも位相１５〜４５°までは正で一定の出力電位とし、位相４５〜６０°の区間内ではスイッチングを行い、少なくとも位相６０〜７５°までは正で一定の出力電位とし、位相７５〜９０°の区間内ではスイッチングを行う
ことを特徴とする３レベル三相インバータの駆動制御装置。
【請求項５】
請求項１から４のいずれか１項に記載の３レベル三相インバータの駆動制御装置であって、
当該駆動制御装置の同期ＰＷＭモードをユニポーラ変調とする
ことを特徴とする３レベル三相インバータの駆動制御装置。
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、該誘導部は、前記金属板材の先端から前記分割線に向けて斜状に形成され、
前記通過口の、前記発射位置から発射された遊技媒体の進行方向側の所定部位に、前記金属板材が配置され、
前記前扉が閉鎖された状態になると、前記通過口を介して遊技媒体を前記発射位置に送出可能になり、遊技媒体に設けられた線材を、前記前扉側の前記不正防止部材の前記隙間に誘導可能になる
ことを特徴とする遊技機。
【請求項２】
前記通過口は、遊技媒体が通過可能な第１開口と、遊技媒体が通過不能であり線材が進入可能な第２開口と、が連続して形成されたものである、
ことを特徴とする請求項１に記載の遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
しかしながら、従来の遊技機では、線材を取り付けた遊技媒体を、通常の遊技媒体と同様に貯留部から遊技領域内へ発射して行うような不正行為については考慮されていなかった。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
そこで、本発明は上記の実情に鑑み、遊技媒体に線材を付着して行われる不正行為を抑止することが可能な遊技機の提供を課題とするものである。
【手続補正８】
【補正対象書類名】明細書
【補正対象項目名】０００８
【補正方法】変更
【補正の内容】
【０００８】
本発明は、
遊技機の前面側を構成する前扉と、
前記前扉の前面に設けられ、複数の遊技媒体を貯留可能な貯留手段と、
前記前扉の後面に設けられ、前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、該誘導部は、前記金属板材の先端から前記分割線に向けて斜状に形成され、
前記通過口の、前記発射位置から発射された遊技媒体の進行方向側の所定部位に、前記金属板材が配置され、
前記前扉が閉鎖された状態になると、前記通過口を介して遊技媒体を前記発射位置に送出可能になり、遊技媒体に設けられた線材を、前記前扉側の前記不正防止部材の前記隙間に誘導可能になる
ことを特徴とする。
また、本発明とは別に開示する別発明の手段を以下に示す。
手段１：遊技機において、
「遊技者の操作によって遊技媒体が打込まれる遊技領域と、
正面視で該遊技領域内の所定位置に前後方向に延びた軸芯周りに対して回転可能に支持され、外周側が少なくとも開放されると共に態様の異なる演出媒体を一つのみ収容可能とされ周方向へ所定間隔に配置された複数の収容凹部を有した回転シリンダと、
該回転シリンダの外周との間に前記演出媒体の直径に対して１／５〜１／２の隙間を形成し前記回転シリンダの外周を被覆する筒状の円筒部、及び該円筒部の外周における前記回転シリンダの軸芯よりも下側の所定位置に前記演出媒体が通過可能な大きさに切欠かれた一つの放出部を有し、前記回転シリンダを回転可能に支持するベース部材と、
該ベース部材の前記円筒部と前記回転シリンダとの間に配置され、前記ベース部材の前記放出部を開放して前記演出媒体が通過可能となる放出位置と前記放出部を閉鎖して前記演出媒体が通過不能となる非放出位置との間で回動するように前記ベース部材に支持される扉部材と、
該扉部材を前記非放出位置の状態とした上で、前記遊技領域内に遊技媒体が打込まれることで変化する遊技状態に応じて、前記回転シリンダを回転させて所望の前記演出媒体が収容された前記収容凹部を前記ベース部材の前記放出部と略一致させた後に、前記扉部材を前記放出位置へ回動させて、前記演出媒体を放出させる演出制御手段と
を具備する」ものであることを特徴とする。
【手続補正９】
【補正対象書類名】明細書
【補正対象項目名】００８９
【補正方法】変更
【補正の内容】
【００８９】
このように、本発明によれば、遊技媒体に線材を付着して行われる不正行為を抑止することが可能な遊技機を提供することができる。
【手続補正１０】
【補正対象書類名】明細書
【補正対象項目名】１１３６
【補正方法】変更
【補正の内容】
【１１３６】
【特許文献１】特開２００８−７３３４０号公報